(57)【要約】【課題】電気的妨害波を防止することにより、ＥＭＣ問題を解決することができ、部品の劣化が無く安全で長寿命を達成することができ、しかも製造者の作業上の安全性を高めることができる効果を有する電位治療器を提供する。【解決手段】放電を生じる可能性ある部材の周辺に、或いは密着して配設され、さらに導電性物質もしくは高体積抵抗率を有する物質よりなり、かつ放電しにくい形状に成形された放電防止電極１９、２１を設ける。該放電防止電極を放電部分に電気的に接続して該放電部分と等電位もしくは概等電位となし、あるいは、これに所定の電位を与えて該放電部分との間を適切な電位差に生じさせる。【選択図】　　　図５
2004049886.tif 000002
【特許請求の範囲】
【請求項１】
人体を数百から数万ボルトの高電位にすることにより人体と大地との間に電界を発生させ、あるいは一対の電極間に高電圧を印加することにより該電極間に電界を発生させてなる電位治療器において、
放電を生じる可能性ある部材の周辺に、或いは密着して配設され、さらに導電性物質又は高体積抵抗率の物質よりなり、かつ放電しにくい形状に成形された放電防止電極と、該放電防止電極を放電部分に電気的に接続して該放電部分と等電位となし、あるいは、これに所定の電位を与えて該放電部分との間を適切な電位差に生じさせるための電位生成手段とを備え、かくして該放電部分の周囲に生じる電界を消滅させ、あるいは放電を停止或いは低減させることを特徴とする電位治療器。
【請求項２】
前記放電防止電極の放電しにくい形状は、球形状、上下面と円周面との境に角部がなく円弧又は滑らかな曲線で結ばれた円盤形状、断面が円形又は楕円形、角部がなく滑らかな曲線で囲まれた形状の線又は管よりなる環形状、円形又は非円形、端部に角部がなく滑らかな曲線でつながれた腕形形状、外表面、特に対電極に面している外表面が平面又は滑らかな曲面で覆われた自由形状、又は外表面に角部や尖った部分を有しない形状から選ばれた１つからなることを特徴とする請求項１記載の電位治療器。
【請求項３】
前記放電を生じる可能性ある部分は、高電圧出力部分や充電部の尖った部分や角ばった部分、又は外装や壁、床等の接地電位にある金属部分の尖った部分や角ばった部分であることを特徴とする請求項１記載の電位治療器。
【請求項４】
前記放電防止電極は、高電圧発生部の高電圧出力部分において、碍子に取付られたボルトに装着され、かつ高電圧配線をナットに接続してなる金属製部材又は導電性プラスチック製部材からなることを特徴とする請求項１記載の電位治療器。
【請求項５】
前記放電防止電極の金属製部材又は導電性プラスチック製部材は、円盤形状からなることを特徴とする請求項４記載の電位治療器。
【請求項６】
前記放電防止電極の金属製部材は、金属製リングからなることを特徴とする請求項４記載の電位治療器。
【請求項７】
前記放電防止電極は、高電圧発生部の高電圧出力部分において、碍子に取付られたボルトに装着され、かつナットを覆うように配設された金属製部材又は導電性プラスチック製部材からなることを特徴とする請求項１記載の電位治療器。
【請求項８】
前記放電防止電極は、高電圧発生部の高電圧出力部分において、碍子に取付られたボルトに装着され、かつ壁、床又は外装等の対電極側に向けて配設されてなる金属製部材又は導電性プラスチック製部材であることを特徴とする請求項１記載の電位治療器。
【請求項９】
前記放電防止電極の金属製部材又は導電性プラスチック製部材は、円盤形状からなることを特徴とする請求項８記載の電位治療器。
【請求項１０】
前記放電防止電極の金属製部材は、金属製リングからなることを特徴とする請求項８記載の電位治療器。
【発明の詳細な説明】
【０００１】
【発明の属する技術分野】
本発明は、放電防止電極を備える電位治療器に関する。
【０００２】
【従来の技術】
電位治療器とは人体を数百乃至数万ボルトの高電位にすることにより人体と大地との間に電界を発生させ、あるいは一対の電極間に高電圧を印加することにより該電極間に電界を発生させ、これらの電界の中に人体を置くことにより疾病を治療し、あるいは人体を健康に導く装置である。従って内部には高電圧発生部を有し高電圧を発生させている。尚、高電圧の一方の極は壁や床、外装等に接続され更に大地に接続される。従って高電圧充電部と壁や床、外装、大地等の間には数百乃至数万ボルトの高電圧が印加されていることになりこの間に大きな電位差があり強い電界が生じている。
【０００３】
図１及び図２は一般的な電位治療器の外観を、図３は図１の電位治療器、図４は図２の電位治療器のそれぞれの電気的ブロックダイヤグラムを示す。該図において、符号１は高電圧発生装置、２は商用電源からの電源電線、３は高電圧出力口、４は高圧電線、５は治療電極、６は治療電源に取付られた絶縁用碍子、７は患者の座る椅子、８は椅子に取付られた絶縁足、９は患者である。該図１及び図３において、電位治療器は、患者の足を載せる治療電極５と、壁や床、大地等の対電極との間には数百乃至数万ボルトの高い電位差を生じさせて、この間に強い電界を発生されている。該図２及び図４において、電位治療器は、対電極として患者の頭部の上方で椅子に取付られた他方の治療電極５を備える。
【０００４】
かくしてこの電界強度がある値を越えると放電を生ずる。電界の強さは、その間の電位差（＝電圧）に比例し、距離に反比例する。従って電界強度を下げ放電を停止させるためには電圧を低くするか、又は充電部と壁や床、大地との距離を大きくしなければならない。しかし、治療効果を維持するためには電圧を下げることができず、又距離を大きく取ると装置が大きくなる。このため、小型化が要求される今日において、商品になりえず、従って、放電の発生は黙認せざるを得ない状況にあった。
【０００５】
電界は２点間の距離が等しくその間の電位差が同じであっても、角ばった形状や、尖った形状の部分に集中する性質があり、このような部分は局部的に強電界となり部分放電（コロナ放電）を発生する。このような事情により従来の電位治療器に於いては本体の内部や治療電極のある個所に部分放電を生じていた。放電が発生すると電気的雑音を発生し商用電源の電線を介して、あるいは電磁波となって空中を伝搬して他の電子機器に侵入し、これらの機器の誤動作の原因となる。
【０００６】
特にこの問題はＥＭＣ（ｅｌｅｃｔｒｏｍａｇｎｅｔｉｃ　ｃｏｍｐａｔｉｂｉｌｉｔｙ；電磁両立性；他の機器に電磁的妨害を与えず、又他の機器から電磁的妨害を受けない性質）規格としてＪＩＳ規格やＩＥＣ規格に規定されており法的規制の対象になりつつある。
【０００７】
上記問題に加え、従来より、電位治療器の製造過程において、組立作業者もしくは検査者（以下、製造者）の作業上の安全性を向上させることが課題とされていた。以下、具体的に説明する。
【０００８】
一般的な電位治療器は、昇圧部と安全回路部とに回路上別けられている。そして、安全回路部を介して電位を昇圧することを必須条件とすることにより、万が一、装置外において高電圧部が直接地絡したり、患者を介した上で間接的に地絡した際にも、安全回路部に挿入されている高インピーダンス回路によって電流を制限することにより、装置並びに患者の安全性を確保している。
【０００９】
しかしながら、製造工程において、昇圧部と安全回路部とが別個に組立てられ、装置内に収められる場合には、昇圧部の出力から安全回路部の入力にかけて安全回路部が機能せず、万が一、製造者が該部分に触れた場合の安全性が担保されていなかった。
【００１０】
【発明が解決しようとする課題】
本発明は、上述した従来の欠点を鑑みてなされたもので、本発明の目的は、電位治療器の種々の部分で発生している部分放電を防止して、他の機器に誤動作を起こさせる妨害波の発生（ＥＭＣ問題）を解決し、しかも部品の劣化が無く安全で長寿命を達成することができる電位治療器を提供することにある。
【００１１】
【課題を解決するための手段】
請求項１に係る電位治療器は、人体を数百から数万ボルトの高電位にすることにより人体と大地との間に電界を発生させ、あるいは一対の電極間に高電圧を印加することにより該電極間に電界を発生させてなる電位治療器において、放電を生じる可能性ある部材の周辺に、或いは密着して配設され、さらに導電性物質又は高体積抵抗率の物質よりなり、かつ放電しにくい形状に成形された放電防止電極と、該放電防止電極を放電部分に電気的に接続して該放電部分と等電位となし、あるいは、これに所定の電位を与えて該放電部分との間を適切な電位差に生じさせるための電位生成手段とを備え、かくして該放電部分の周囲に生じる電界を消滅させ、あるいは放電を停止或いは低減させることを特徴とする。
【００１２】
請求項２に係る電位治療器は、前記放電防止電極の放電しにくい形状は、球形状、上下面と円周面との境に角部がなく円弧又は滑らかな曲線で結ばれた円盤形状、断面が円形又は楕円形、角部がなく滑らかな曲線で囲まれた形状の線又は管よりなる環形状、円形又は非円形、端部に角部がなく滑らかな曲線でつながれた腕形形状、外表面、特に対電極に面している外表面が平面又は滑らかな局面で覆われた自由形状、又は外表面に角部や尖った部分を有しない形状から選ばれた１つからなることを特徴とする。
【００１３】
請求項３に係る電位治療器は、前記放電を生じる可能性ある部分は、高電圧出力部分や充電部の尖った部分や角ばった部分、又は外装や壁、床等の接地電位にある金属部分の尖った部分や角ばった部分であることを特徴とする。
【００１４】
請求項４に係る電位治療器は、前記放電防止電極が、高電圧発生部の高電圧出力部分において、碍子に取付られたボルトに装着され、かつ高電圧配線をナットに接続してなる金属製部材又は導電性プラスチック製部材からなることを特徴とする。
【００１５】
請求項５に係る電位治療器は、前記放電防止電極の金属製部材又は導電性プラスチック製部材は、円盤形状からなることを特徴とする。
【００１６】
請求項６に係る電位治療器は、前記放電防止電極の金属製部材が、金属製リングからなることを特徴とする。
【００１７】
請求項７に係る電位治療器は、前記放電防止電極が、高電圧発生部の高電圧出力部分において、碍子に取付られたボルトに装着され、かつナットを覆うように配設された金属製部材又は導電性プラスチック製部材からなることを特徴とする。
【００１８】
請求項８に係る電位治療器は、前記放電防止電極が、高電圧発生部の高電圧出力部分において、碍子に取付られたボルトに装着され、かつ壁、床又は外装等の対電極側に向けて配設されてなる金属製部材又は導電性プラスチック製部材であることを特徴とする。
【００１９】
請求項９に係る電位治療器は、前記放電防止電極の金属製部材又は導電性プラスチック製部材が、円盤形状からなることを特徴とする。
【００２０】
請求項１０に係る電位治療器は、前記放電防止電極の金属製部材が、金属製リングからなることを特徴とする。
【００２１】
【発明の実施の形態】
以下、本発明の実施例を図面を参照して詳述する。
電位治療器は、上述した図１又は図２に示されている。　図５は高電圧発生部の高電圧出力部分等に使用される碍子の概略図である。該図において、碍子１０の先端にボルト１１が突出し、ここに六角ナット１２が、螺着しており、ナットの外周に高電圧を導く為の高圧電線１４の先端に取りつけられたラグ端子１３が締結されている。このような状態に於いて、ボルトの頭部１５、ネジ山部１６、六角ナットの角部１７、ラグ端子の角部１８に電界が集中し部分放電を生ずる。
【００２２】
図６（ａ）は、図５のボルトに図６（ｂ）に示すような外周に丸みを持たせた放電防止用電極（以下、放電防止電極１９という）である金属製円盤又は導電性プラスチック製円盤を装着した概略図である。すなわち、該円盤の内周に雌ネジ２０が切られており、ボルトの雄ネジに装着される。図５に於いて従来放電していた部分はその部分と同電位もしくはほぼ同電位にある放電防止用円盤により対電極から遮蔽され、該円盤と放電部分とは同電位もしくはほぼ同電位となるので、この間の電界は消滅、或いは強度が低減し放電は停止、或いは軽減する。
【００２３】
図７（ａ）は他の実施例を示すもので、図７（ｂ）に示すような被覆電線２２を環状に成型し、その始点と終点を揃えて環のほぼ中心部に導き両端の電線部分を結合して、半田づけ、圧着スリーブ、圧着端子２３等により電気的に接続してなる放電防止リング（以下、放電防止電極２１という）をボルト１１に装着した概略図を示す。放電停止の原理は図６（ａ）による実施例とまったく同じである。なお、放電防止リングの材質を被覆電線に替えて、裸電線、導電性材料による綿材、又は導電性材料によるパイプ等を用いてもよい。
【００２４】
更に図８（ａ）はさらに他の実施例を示すもので、放電防止用電極として図８（ｂ）に示す金属製もしくは導電性プラスチック製の腕形電極２４をボルト１１に装着した概略図を示す。腕形電極２４は、円盤部とボルトの全体を覆うように下方に延出する延出部を備える。放電停止の原理は図６（ａ）による実施例とまったく同じであるが、図６（ａ）より広い範囲を遮蔽することができる。
【００２５】
図９（ａ）は更に別の実施例を示すものである。前記図６（ａ）、図７（ａ）及び図８（ａ）に示す放電防止用電極は、放電部分、例えばボルト先端の全円周方向に対し有効である。これに対し、図９（ａ）に示す放電防止用電極は、ボルトの右側部分が対電極である壁や床２５から離れている場合に有効である。
【００２６】
図９（ａ）に示すように、ボルトの右側部分が対電極である壁や床２５から離れている場合、同右側部分では電界が弱く放電を発生しないが、左側部分は対電極である壁や床２５から比較的近くにあるため電界が強く、ボルト等の角部に部分放電が生じてしまう。本実施例ではこのような部分放電に対処すべく、左側部分に放電防止用電極２６を配設する。放電防止用電極２６は、図９（ｂ）に示すように、外周部分に丸みを持たせた金属製もしくは導電性プラスチック製の小判型電極２６の中央付近に取付け部を有する。放電防止用電極を放電部分の左側に設けることにより左側部分の放電を遮閉させるものである。なお、該方法はある一点のみ放電している場合にも適用することができる。放電停止の原理は図６による実施例とまったく同じである。
【００２７】
図１０（ａ）は更に別の実施例を示すもので、図９（ａ）における場合と同様に、ボルトの左側部分に放電防止電極２１を配設した概略図を示す。該図１０（ｂ）の放電防止電極２１は、図７（ｂ）に示す放電防止リングを小判型に変型させたもので、その材質も図７（ｂ）と同じでよい。放電防止の原理は図９（ａ）による実施例とまったく同じである。
【００２８】
上述したように放電防止電極は、放電を生じる可能性のある部材の周辺に、或いは密着して配設される。そして、この放電防止電極は（１）銀、銅、カーボン等の導電性物質、（２）ポリ塩化ビニル、アクリル樹脂等のプラスチックに銀、銅、カーボン等の導電性粒子を混和してなる導電性プラスチック製部材、（３）本来の高分子構造に由来する導電性を保有する物質、すなわち、その本質的な導電性にて高抵抗の導電性プラスチック材等の高体積抵抗率の物質、以上（１）〜（３）のいずれか１つ又はこれらの組合せからなる。
【００２９】
これら導電性プラスチック製部材及び高体積抵抗率を有する物質は、回路に並列に配設される。高体積抵抗率の物質を使用することにより、製造者が高電圧部に触れた際にも、高体積抵抗率を有する物質を介して電流経路が形成されるために、導電性物質に触れた場合に比して製造者に流れる電流値を低減させることができ、製造者の安全性を飛躍的に高めることができる。また、導電性プラスチックの体積固有抵抗率が変動した場合であっても、製造者の安全性に問題は生じない。
【００３０】
また、「放電しにくい」という観点における、放電防止電極の好ましい形状は、（１）球形状、（２）上下面と円周面との境に角部がなく円弧又は滑らかな曲線で結ばれた円盤形状、（３）断面が円形又は楕円形、角部がなく滑らかな曲線で囲まれた形状の線又は管よりなる環形状、円形又は非円形、（４）端部に角部がなく滑らかな曲線でつながれた腕形形状、（５）外表面、特に対電極に面している外表面が平面又は滑らかな曲面で覆われた自由形状、（６）外表面に角部や尖った部分を有しない形状、以上（１）〜（６）の形状から選ばれた１つからなる。
【００３１】
【発明の効果】
このように、本発明に係る電位治療器によれば、電気的妨害波を防止でき、ＥＭＣ問題を解決し、部品の劣化が無く安全で長寿命を達成することができ、さらに、製造者の作業上の安全性を高めることができる。
また、本発明に係る電位治療器の場合、放電防止電極に高体積抵抗率を有する物質を使用するため、その製造過程において、万が一製造者が高電圧部分に触れた際にも高体積抵抗率を有する物質を介して電流経路が形成され、製造者に流れる電流値を低減させることができ、製造者の安全性を飛躍的に高めることができる。
【図面の簡単な説明】
【図１】図１は、一般的な電位治療器を示す概略図である。
【図２】図２は、他の一般的な電位治療器を示す概略図である。
【図３】図３は、図１に示す電位治療器の電気的ブロックを示す図である。
【図４】図４は、図２に示す電位治療器の電気的ブロックを示す図である。
【図５】図５は、電位治療器に於いて放電を起こしやすい碍子部分を示す概略図である。
【図６】図６ａは、本発明に係る碍子に放電防止電極を取付けた状態を示す概略図、図６ｂは、図６ａの放電防止電極を示す概略図である。
【図７】図７ａは、本発明に係る碍子に放電防止電極を取付けた状態を示す概略図、図７ｂは、図７ａの放電防止電極を示す概略図である。
【図８】図８ａは、本発明に係る碍子に放電防止電極を取付けた状態を示す概略図、図８ｂは、図８ａの放電防止電極を示す概略図である。
【図９】図９ａは、本発明に係る碍子に放電防止電極を取付けた状態を示す概略図、図９ｂは、図９ａの放電防止電極を示す概略図である。
【図１０】図１０ａは、本発明に係る碍子に放電防止電極を取付けた状態を示す概略図、図１０ｂは、図１０ａの放電防止電極を示す概略図である。
【符号の説明】
１０：碍子
１１：ボルト
１４：高圧電線
１６：ねじ山部
１９：放電防止電極
２１：放電防止電極
２２：被覆電線
２３：圧着端子
２４：腕形電極
２６；小判形電極
【図１】
2004049886.tif 000003
【図２】
2004049886.tif 000004
【図３】
2004049886.tif 000005
【図４】
2004049886.tif 000006
【図５】
2004049886.tif 000007
【図６】
2004049886.tif 000008
【図７】
2004049886.tif 000009
【図８】
2004049886.tif 000010
【図９】
2004049886.tif 000011
【図１０】
2004049886.tif 000012